(57)【要約】【課題】  本発明は、湿式塗装ブースの水槽中に投入する処理剤によって、水槽中に浮遊する塗料スラッジをその性状にかかわらず効果的に取り込み、スラッジの処理装置へ送り込む装置により、スラッジの回収を確実に行い、メンテナンス容易で長期に安定して塗料スラッジが回収できる捕集システムを提供する。【解決手段】水槽に浮遊するスラッジを回収する装置として、水槽の一部に設けた回収容器の少なくとも一側に隣接して可動プレートを設け、水平方向に延出した可動プレートの一端を間欠的に昇降させてプレート上に浮遊するスラッジを前記回収容器に流入させる昇降装置を設ける。回収容器内には容積形ポンプの吸込み口を配してスラッジを処理水とともに吸引し、脱水装置によりスラッジのみを除去して処理水を水槽に還流する。 【選択図】  図１
2005224711.tif 000002
【特許請求の範囲】
【請求項１】
塗料ミストの捕集に処理水を使用する塗装ブースの水槽に浮遊するスラッジを回収する装置において、水槽の一部に回収容器を敷設し、該回収容器の少なくとも一側に隣接して揺動プレートを水平方向に延出するとともに、該プレートを水中と水面上を間欠的に昇降させて揺動プレート上に浮遊するスラッジを前記回収容器に流入させる昇降装置を設けてなるスラッジ回収装置。
【請求項２】
揺動プレートを水面上に移動したとき、回収容器側を固定し、回収容器とは反対側を高く傾斜させる手段を設けてなる請求項１に記載の回収装置。
【請求項３】
揺動プレートを回収容器の両側に設け、それぞれを個別もしくは同時に昇降させてなる請求項１に記載の回収装置。
【請求項４】
回収容器内にポンプの吸込み口を設け、容積形ポンプと接続してスラッジを回収する請求項１に記載の回収装置。
【請求項５】
水槽の一部に配置した回収容器と、回収容器に隣接し揺動するプレートと、プレートを水中と水面上に間欠的に上下動させる昇降装置と、吸込み側を回収容器内に開口させ吐出側を脱水装置の入り口に接続させた容積形ポンプと、スラッジ混入液をスラッジと水に分離しスラッジを外部に排出し水を水槽に還流する脱水装置とを備えた塗装用ブース処理水のスラッジ回収装置。
【発明の詳細な説明】
【技術分野】
【０００１】
本発明は、噴霧塗装において塗料等のスプレーミストが、水洗ブースで捕集されて、湿式塗装ブースの水槽の液面や、液中に浮遊する塗料スラッジを回収する装置に関するものである。
【背景技術】
【０００２】
塗装作業所において、スプレーガン等から被塗物に噴射される塗料の余剰ミストを効果的に捕集して、作業環境の保全と大気の汚染防止を行うことは作業者の安全管理及び地球環境問題から必要不可欠なことである。そのために、多くの塗装現場で塗装ブースが用いられている。その塗装ブースの一形態として、ファン等により塗装室内に向かう気流を形成して余剰ミストを導入すると共に、水槽に貯溜された水または油等の処理液をポンプ等により塗装室上部に汲み上げて、気流と交差・衝突する方向に水膜やシャワーを形成し、余剰の塗料ミストを捕集して水槽内に取り込む装置が知られている。
【０００３】
また、ファン自体の吸引力を利用して水槽内の水を吸い上げて水膜または渦流によって塗料ミストを捕集し水槽内に取り込むようにした湿式塗装ブースがある。これらの湿式塗装ブースでは、水質汚染防止および産業廃棄物の処理の観点から、塗料を取り込んで貯溜される汚濁した水等の管理ないし処理が常に問題となる。そこで、汚濁した貯溜水より塗料スラッジを分離し、水を浄化するとともにこれを湿式塗装ブースにおいて再利用できるようにした塗料スラッジ捕集装置がこれまでにも提案されている。
【０００４】
塗料スラッジの回収装置に関しては、本発明出願人による特開平１０−１１３５８７の湿式塗装ブース用塗料スラッジ捕集システムや特開２０００−３２５８４２の水洗塗装ブースのスラッジ回収構造、等がある。これらの出願発明には、湿式塗装室の水槽に貯溜される塗料スラッジを水と共に吸引して回収するために効果的な方法として、スラッジを集める手段、もしくは回収しやすくする手段が開示されている。塗料スラッジは使用される塗料の種類やスプレーの量によりさまざまな形態で水槽中に混入され、水上に分散した状態で浮遊するもの、水上にマット状、塊となって浮遊するもの、水中に懸濁するもの、沈降するもの等に分類される。これらの形態は水に混入させる処理剤によってもある程度変えることも可能であるが、前記使用塗料や使用量によってその都度変えることは実質的に不可能であり、望ましくはいずれの形態でも効果的に回収できる装置が望ましい。
【０００５】
前記した従来の回収装置は、水上にマット状、塊となって浮遊するスラッジを回収容器内に流入させることに適さず、塗料は塊となって堆積してしまう。またこれらを破砕手段によって細かく分散させたとしても破砕時の発生した水面の泡も多く取り込み、従来の水中ポンプでは、ポンピング機能が損なわれるといった新たな問題が発生する。
【０００６】
このような状況から、スラッジの形態にかかわらず回収を可能とした設備として、特開平１１−２９０８６４公報には別途排水処理槽を設けて、間欠的にスラッジの混入する排水を流入させ、処理剤を加える等の方法によって処理する技術が示されているが、設備的に専用の処理槽を追加する必要がある等、設置場所や費用の大幅な増大は避けられない。
【特許文献１】特開平８−０８４９４７号公報
【特許文献２】特開平１０−１１３５８７号公報
【特許文献３】特開平１１-２９０８６４号公報
【特許文献４】特開２０００-３２５８４２号公報
【発明の開示】
【発明が解決しようとする課題】
【０００７】
本発明は、湿式塗装ブースの水槽中に投入する処理剤によって、水槽中に浮遊する塗料スラッジをその性状にかかわらず効果的に取り込み、スラッジの処理装置へ送り込むことができる装置を得ることを目的として、スラッジの回収を確実に行う装置を提供するとともに、メンテナンス容易で長期に安定して塗料スラッジが回収できる捕集システムを提供することを目的とする。
【課題を解決するための手段】
【０００８】
処理水を使用して塗料ミストを捕集する塗装ブースの水槽に浮遊するスラッジを回収する装置において、水槽の一部に枡状の回収容器を設け、この回収容器の少なくとも一側に隣接して揺動プレートを水平方向に設ける。この揺動プレートは間欠的に昇降させる昇降装置によって水中と水面上を往復し、かつ回収容器側の他端を回収容器側に傾け、揺動プレート上に浮遊するスラッジを前記回収容器に強制的に流入させる。揺動プレートを回収容器の両側に設ければ水槽のより広い範囲に浮遊するスラッジを効率よく回収することができる。
【０００９】
回収容器内にはポンプの吸込み口を設け、容積形ポンプと接続してスラッジを吸引し回収する。回収したスラッジは処理水に混入された状態で脱水装置に送り込まれ、脱水装置でスラッジと水に分離し、処理水は水槽に還流することにより循環使用して、スラッジのみを外部に回収除去する。
【発明の効果】
【００１０】
湿式塗装ブースの水槽中に仕切を設けて、枡状の回収容器を設け、これに隣接したプレートにより浮遊するスラッジを掬い上げるようにして回収容器に流し込む装置を間欠駆動させることで、スラッジを強制的に、効率的かつ確実に取り込むことができる。回収容器に取り込んだスラッジは処理水とともにポンプで吸引し、脱水装置により固形スラッジと水に分離され、スラッジのみが回収される。
【００１１】
回収容器及びプレートの配置や大きさは塗装ブースに備えられた水槽の配置や大きさ又は水流の状態等によって異なるが、水面もしくは水面近くに浮遊するスラッジを効率よく掬い上げ、そのまま回収容器に流し込む形状であれば、定期的に繰り返し稼動させることによって、常に塗装ブースの捕集機能に支障がない範囲での処理水に保つことができる。回収容器に流し込まれた処理水はポンプによって吸引され、脱水装置によってスラッジのみを分離回収し、水は水槽内に還流される。したがって処理水を必要とする清浄状態で循環使用することになり、塗料ミストの捕集効率を減じることなく、結果として有害物質の排出を押さえることができる。
【００１２】
また回収容器内に流入しスラッジを多く含む処理水は容積形のポンプで吸引するようにしたことで、発生する泡を取り込んでも、そのまま脱水装置側に送り込まれて処理されるためメンテナンスに手間がかかることもなく、既存の塗装ブースに対しても低コストで実施することが可能で、実施効果が大きく望める。
【００１３】
塗装ブースにおける発生スラッジの回収装置として、比較的簡単な構造のため安価なコストで設置でき、塗料の種類や使用状態によるスラッジの形態に左右されることがなくどんな状態のスラッジでも効率よく脱水装置への取り込みが可能となり、取扱い上やメンテナンスの困難性もなく、長期にわたって安定した使用が可能となる。
【発明を実施するための最良の形態】
【００１４】
本発明の実施例を図面に基づいて詳細に説明する。図１は塗装ブースの水槽部分とスラッジの回収、脱水処理装置の概要を示す全体構成図である。塗装ブースは処理水を循環使用するもので水槽を備えた装置であれば、いずれの構造でも適用できる。したがってここでは塗装ブースの構造は省略している。水槽１は図示されていない塗装ブースの背面に設置されたものとして図示されている。水槽１の内部に回収容器３が配置される。この回収容器３は構造上枡状に構成しているが、これに限定されるものではない。
【００１５】
前記回収容器３に隣接し両側に揺動プレート５が設けられている。この揺動プレート５は平板状で、図２に平面図で示すように矩形で、回収容器側に支持腕５１を両側に出し回収容器３を挟み込むようにしている。揺動プレート５は両側に配置して前記お互いの支持腕５１を支軸５２で回動可能に固定されている。
さらにそれぞれの揺動プレート５は互いの支持腕５１の下方に設けたばね５３によって引っ張られた状態で、通常時はほぼ水平を保ち、支軸５２を関節として両揺動プレート５がＶ字型に折れ曲げ可能な構成となっている。
【００１６】
揺動プレート５は容器側の一端を除き周辺に縁５４を立ち上げ、浅い皿状の形状になっている。適当な位置に吊り枠５５を設け、その他端を昇降装置６の駆動軸端８に係合させ、上下動可能にする。本実施例では両側の揺動プレート５に設けたそれぞれの昇降装置６を同期させることで、ほぼ水平状態のまま両揺動プレート５が上下動するように構成している。
【００１７】
上下動の位置は図１または図３のＡに示す水面下に数センチメートルから１０センチメートル沈んだ位置を下限とし、点線Ｂで示す水面上に同程度出るように昇降装置６が選定、設置される。本実施例の場合エアシリンダ７により、安全領域から供給される圧縮エアにより間欠的に往復動し揺動プレート５を上下動させる。Ａの位置から上昇した両揺動プレート５は、回収容器３に設けた係止部材４によって支持腕５１の支軸５２部分が係止し、上昇が停止するが、揺動プレート５は上昇を続け、回収容器３に向かって傾斜する形に
なる。このため揺動プレート５上に掬い上げられたスラッジと処理水は回収容器３に流し込まれる。
【００１８】
揺動プレート５は下降させたときにスラッジが上部に十分流れ込む位置とし、上昇によって水面上に持ち上げ、回収容器３とは反対側が上になって容器側に傾き揺動プレート上に掬い上げられた処理水とスラッジが回収容器３に流れ込むように設ければ、前述の実施例によらずその他の駆動機構で構成しても本発明の効果は得ることができる。
【００１９】
また揺動プレート５は、水槽の大きさや配置によっては、回収容器３の片側だけでもよく、また回収容器３より幅広くし、流入路を絞るような形状も採用しうる。図４はその例として、左右に各々個別に採用しうる別々の例を示している。左の例はプレート２１を、やや回収容器３寄りに配置した支軸２２で保持し、プレートの自重によりプレート２１の左端が重くなるようにし、Ｌ字に形成した腕２３で支えている。水中及び引き上げ時はやや左端が下がるか、または水平状態を維持し、点線Ｃまでスラッジを掬い上げ、さらに支軸２２の位置を上昇させることでストッパ２５がプレート２１の右端を押さえ、左端が上昇するため、Ｄで示すようにプレート２１は傾斜して掬い上げたスラッジが回収容器３内に流入する。
【００２０】
図４の右側の図示例は、支軸２２で可動とし、下端をＬ字に形成した腕２３がプレート２１をほぼ水平に保持する構成とする。上部反対側はばね２４によって処理水を掬い上げる重量に見合う力で吊り上げた状態を保つようにしてある。一方、回収容器３側はストッパ２５によりプレートの上昇を制限し、昇降装置６を上昇させると点線Ｅまでスラッジを掬い上げ、さらに上昇させることでストッパ２５がプレート２１の左端を押さえ、ばね２４を伸ばして右端が上昇し、プレート２１は傾斜して掬い上げたスラッジが回収容器３内に流入する。
【００２１】
上記の例示のように、水中におけるプレート２１がスラッジ掬い上げの位置でほぼ水平になり、水面に出たときに傾斜して回収容器３側に流れ込むように調整された傾斜手段を設置することで、前記実施例と同様の作用効果を得ることができる。
【００２２】
さらにプレートを上下に移動させる手段は、塗料、揮発性有機化合物を扱う爆発性雰囲気での使用やメンテナンスの面から、前記エアシリンダ７を用いているが、既存する他の機械的手段のいくつかが採用され得る。
【００２３】
２０は撹拌機を示し、回収容器３内に流し込まれたスラッジを粉砕、ポンプに吸い込みやすくするためのものである。必要に応じて作業者が操作すればよいが、特にマット状に浮遊するスラッジが発生する場合は、そのスラッジを細かく分散させてポンプの負荷を減少させ、安定した処理を継続するために必要となり、昇降装置と連動して定期的もしくは運転中は連続して自動駆動する構成とすれば作業者の負担が軽減される。
【００２４】
回収容器３には底部近くに吸込み口１１が開口し、容積形ポンプ１２に接続されている。この容積形ポンプ１２は円筒形シリンダに嵌合されたパッキンの摺動により容積を変化させ、入口と出口に設けた逆止弁１３、１４により吸引、吐出するポンプで、駆動は前記昇降装置６と同様、エアシリンダ１５を使用している。したがってスラッジ、水はもちろん気泡を吸い込んでも問題なく、通常の作動条件において確実に吸引し、送り出すことができる。
【００２５】
容積形ポンプ１２の出口側逆止弁１４は、脱水装置１６の導入口に接続され、ここでスラッジと水が分離され、スラッジは固形物として回収除去される。分離された水は再び水槽に還流するようにホース１７が接続されている。脱水装置１６は、加圧浮上分離型の分離装置を示しており、シリンダの下方より流入させたスラッジ混入処理水に凝集薬剤等を注入して分離しやすくし、浮上したスラッジを上部の出口より集中的に回収する装置が使用されている。
【００２６】
脱水装置そのものは必要の程度によりいくつかの処理装置が選択でき、例えばより水分の少ない状態でスラッジを廃棄処理する場合、特開２００１−２２４９１３号公報に記載された脱水装置等が使用される。
【図面の簡単な説明】
【００２７】
【図１】本発明の一実施例を示す構成図である。
【図２】図１の揺動プレート部分の平面図である。
【図３】図１の揺動プレート部分の拡大図である。
【図４】揺動プレートを片側だけ配置した時の作動状態を示す部分構成図
【符号の説明】
【００２８】
１    水槽
３    回収容器
４    係止部材
５    揺動プレート
６    昇降装置
７    エアシリンダ
８    駆動軸端
１１  吸込み口
１２  容積形ポンプ
１３、１４  逆止弁
１５  エアシリンダ
１６  脱水装置
１７  ホース
２０  撹拌機
２１  プレート
２２  支軸
２３  腕
２４  ばね
２５  ストッパ
５１  支持腕
５２  支軸
５３  ばね
５４  縁
５５  吊り枠
【図１】
2005224711.tif 000003
【図２】
2005224711.tif 000004
【図３】
2005224711.tif 000005
【図４】
2005224711.tif 000006